(57)【要約】【課題】簡便かつ効率的に劣化した防水シートを剥離除去し、新たな防水シートを外観よく施工することができる防水シートの施工方法又は古い防水シートを剥離除去することなく補修を行う防水シートの施工方法を提供する【解決手段】躯体２０に固定された固定プレート１３に熱可塑性樹脂層１７に接着固定された防水シート１１の固定プレート１３位置を電磁誘導加熱し、接着を解除して剥離する剥離工程、固定プレート１３上に熱可塑性樹脂層２５を積層する熱可塑性樹脂層積層工程、新しい防水シート２６を被覆する防水シート供給工程、及び防水シート２６の固定プレート１３位置に電磁誘導加熱装置２２を当接して加熱、貼着する貼着工程を有する防水シートの施工方法とする。【選択図】図４
2006124941.tif 000002
【特許請求の範囲】
【請求項１】
躯体に固定された固定プレートに熱可塑性樹脂にて接着固定された防水シートの前記固定プレート位置を電磁誘導加熱し、接着を解除して剥離する剥離工程、前記固定プレート上に熱可塑性樹脂を積層する熱可塑性樹脂層積層工程、新しい防水シートを被覆する防水シート供給工程、及び前記防水シートの前記固定プレート位置に電磁誘導加熱装置を当接して加熱、貼着する貼着工程を有することを特徴とする防水シートの施工方法。
【請求項２】
躯体に固定された固定プレートに熱可塑性樹脂にて接着固定された防水シートの前記固定プレート位置上に熱可塑性樹脂を積層する熱可塑性樹脂層積層工程、新しい防水シートを被覆する防水シート供給工程、及び前記防水シートの前記固定プレート位置を電磁誘導加熱装置にて加熱、貼着する貼着工程を有することを特徴とする防水シートの施工方法。
【請求項３】
さらに前記熱可塑性樹脂積層工程の前に少なくとも前記固定プレート位置の防水シートにバフかけをするバフかけ工程を有する請求項２に記載の防水シートの施工方法。
【請求項４】
前記熱可塑性樹脂層積層工程は、熱可塑性樹脂を吹き付ける工程又は熱可塑性樹脂膜を付着させる工程である請求項１〜３のいずれかに記載の防水シートの施工方法。
【発明の詳細な説明】
【技術分野】
【０００１】
本発明は、屋上などの躯体に接着剤層として熱可塑性樹脂層を有する固定プレートをアンカーにて固定し、電磁誘導加熱法により熱可塑性樹脂を溶融して防水シートを接着することにより施工された防水シート層が劣化、破損した場合の該防水シートの貼替ないし補修を行うための防水シートの施工方法に関するものである。
【背景技術】
【０００２】
従来一般的に行われている躯体に接着剤を塗布して防水シートを施工する方法に代えて、導電体にて構成され、熱可塑性樹脂を積層した固定プレートをアンカーにて躯体に固定し、その上から前記防水シートを重ね合わせた状態で、防水シートの上から電磁誘導加熱することによって固定プレートを加熱し、熱可塑性樹脂を溶融させて防水シートと固定プレートとを接着固定する防水シートの施工方法は公知である（特許文献１）。
【特許文献１】特開２００３−３５０１３号公報
【発明の開示】
【発明が解決しようとする課題】
【０００３】
屋上防水などの防水工法においては、防水シートとしては耐候性に優れエチレンプロピレンゴム加硫シートなどが使用される。このような防水シートは耐候性に優れたものではあるが、長期の風雨や日光の曝露による劣化が避けられず、一定期間を経過した場合や所定期間を経過しなくても特に劣化が激しい場合や何らかの機械的作用により破損した場合には貼り替え又は補修を行う必要がある。
【０００４】
防水シートの貼替は、一般的には防水シートを端部から機械的に引き剥がす方法が行われる。係る機械的な剥離は、通常は作業員の手作業であり、時間がかかり、作業効率が悪いという問題を有する。また部分的に劣化して強度が低下した加硫ゴムシートが破断して固定プレート状に残存し、そのままその上に新たな防水シートを施工すると、該ゴムシートの残存した固定プレート部に凹凸が発生して外観が悪くなる。
【０００５】
本発明は、簡便かつ効率的に劣化した防水シートを剥離除去し、新たな防水シートを外観よく施工することができる防水シートの施工方法又は古い防水シートを剥離除去することなく補修を行う防水シートの施工方法を提供することにある。
【課題を解決するための手段】
【０００６】
本発明の防水シートの施工方法は、躯体に固定された固定プレートに熱可塑性樹脂にて接着固定された防水シートの前記固定プレート位置を電磁誘導加熱し、接着を解除して剥離する剥離工程、前記固定プレート上に熱可塑性樹脂を積層する熱可塑性樹脂層積層工程、新しい防水シートを被覆する防水シート供給工程、及び前記防水シートの前記固定プレート位置に電磁誘導加熱装置を当接して加熱、貼着する貼着工程を有することを特徴とする。
【０００７】
係る構成の防水シートの施工工法により、簡便かつ効率的に劣化した防水シートを剥離除去し、新たな防水シートを外観よく施工することができる。
【０００８】
別の防水シートの施工方法は、躯体に固定された固定プレートに熱可塑性樹脂にて接着固定された防水シートの前記固定プレート位置上に熱可塑性樹脂を積層する熱可塑性樹脂層積層工程、新しい防水シートを被覆する防水シート供給工程、及び前記防水シートの前記固定プレート位置を電磁誘導加熱装置にて加熱、貼着する貼着工程を有することを特徴とする。
【０００９】
係る構成の防水シートの施工方法は、下の古い防水シートの剥離工程がなく、さらに簡便な施工方法である。
【００１０】
上述の防水シートの施工方法においては、より優れた接着力を得ることができることから、さらに前記熱可塑性樹脂積層工程の前に少なくとも前記固定プレート位置の防水シートにバフかけをするバフかけ工程を有することが好ましい。
【発明を実施するための最良の形態】
【００１１】
本発明において新たに施工する防水シートとしては公知の防水シートを使用することができ、エチレンプロピレンゴム、ブチルゴム等の耐候性に優れたゴム材料を使用したゴムシートの使用が好ましい。使用する防水シートは、貼り替えられる古い防水シートと同じ材料であっても、異なった材料であってもよい。古い防水シートを剥離せずに新しい防水シートを施工する場合には、良好な接着性が得られることから同じ材料の防水シートを使用することが好ましい。
【００１２】
接着に使用する熱可塑性樹脂としては、ポリエチレン、ポリプロピレン、エチレンやプロピレンとα−オレフィンの共重合体であるポリオレフィン樹脂、エチレン−酢酸ビニル共重合体（ＥＶＡ樹脂）等が好適な材料として例示される。
【実施例１】
【００１３】
図１〜図４に本発明の防水シートの施工方法の各工程を部分断面図にて示した。図１、図２は、剥離工程を示したものである。図１は、躯体２０にアンカー１５にて固定された固定プレート１３に熱可塑性樹脂１７にて接着施工された防水シート１１の固定プレート１３部分に電磁誘導加熱装置２２を当接させて加熱して熱可塑性樹脂１７を溶融する加熱工程を示したものである。
【００１４】
防水シート１１は、熱可塑性樹脂１７が冷却されて固化するまでに図２のように剥離する。熱可塑性樹脂が流動状態で剥離するので、簡単に古い防水シートを剥離することができる。電磁誘導加熱装置２２による加熱と剥離は、防水シート１１の端部から順に行うことが好適であるが、中央部で剥離し、防水シート１１を離した状態で熱可塑性樹脂を冷却固化させておいて、端部を後で剥離して防水シート１１を一挙に除去してもよい。
【００１５】
図３は熱可塑性樹脂積層工程を例示したものである。電磁誘導加熱と防水シート１１の剥離により、固定プレート１３上の熱可塑性樹脂層は薄くなっており、そのまま新たな防水シートを被覆して電磁誘導加熱を行っても十分な接着力が得られない。好ましくは同材質の熱可塑性樹脂膜（フィルムないしシート）を固定プレート１３の上に、溶融熱可塑性樹脂の塗布又は熱可塑性樹脂フィルムないしシートを被覆することにより形成する熱可塑性樹脂積層工程を設けて熱可塑性樹脂層２５を形成することによって、新たな防水シートを被覆して電磁誘導加熱を行うことにより、所定の接着力が得られる。
【００１６】
熱可塑性樹脂は、溶融状態でアプリケーターにより積層してもよく、膜状（フィルム状或いはシート状）の熱可塑性樹脂を単に載置或いは粘着剤や接着剤にて仮止め固定して付着してもよく、また図３に示したように吹き付けて積層してもよい。吹き付け積層は、施工時間が短く、好適である。
【００１７】
図４は、防水シート供給工程と貼着工程を示したものである。熱可塑性樹脂２５を積層した固定プレート１３の上に新たな防水シート２６を被覆し（防水シート供給工程）、固定プレート１３の上部に電磁誘導加熱装置２２を当てて加熱して熱可塑性樹脂層２５を溶融し、防水シート２６を接着した後に熱可塑性樹脂層２５を冷却することにより、防水シート２６が固定される。
【００１８】
図５は、貼り替えるべき防水シート１１を剥離することなく補修を行う防水シートの施工方法を例示したものである。補修すべき古い防水シート１１の上、固定プレート１３位置に熱可塑性樹脂２５を積層する（熱可塑性樹脂積層工程）。本施工方法においては、熱可塑性樹脂積層工程の前に、古い防水シート１１の表面を清掃し、さらにはバフかけをする（バフかけ工程）ことが、良好な接着力が得られる観点より好ましい。
【００１９】
熱可塑性樹脂積層工程により固定プレート１３位置に熱可塑性樹脂２５を積層した後に、古い防水シート１１の上に新たな防水シート２７を被覆し、固定プレート１３の上部位置に電磁誘導加熱装置２２を当てて固定プレート１３を加熱して防水シート１１の表面に積層された熱可塑性樹脂層２５を溶融し、古い下層の防水シート１１と新たな防水シート２７を接着して固定する。
【図面の簡単な説明】
【００２０】
【図１】接着施工された防水シートの剥離工程における加熱状態を示した断面図
【図２】接着施工された防水シートの剥離工程における剥離操作を示した断面図
【図３】剥離工程後に固定プレート上に吹き付けによる熱可塑性樹脂積層工程を示した断面図
【図４】防水シート供給工程と貼着工程を示した断面図
【図５】防水シートを剥離することなく補修を行う防水シートの施工方法を例示した断面図
【図６】電磁誘導加熱装置により古い下層の防水シートと新たな防水シートを接着して固定する貼着工程を示した断面図
【符号の説明】
【００２１】
１１        防水シート
１３        固定プレート
１７        熱可塑性樹脂層
２０        躯体
２２        電磁誘導加熱装置
２５        熱可塑性樹脂層
２６        防水シート
【図１】
2006124941.tif 000003
【図２】
2006124941.tif 000004
【図３】
2006124941.tif 000005
【図４】
2006124941.tif 000006
【図５】
2006124941.tif 000007
【図６】
2006124941.tif 000008